(57)【要約】      （修正有）【課題】簡易な構造で、スクリュー形曝気機を安定して支持することができるスクリュー形曝気機の支持構造を提供する。【解決手段】スクリューの回転により発生する推力により生じる支持部材の支持点廻りのモーメントが、支持部材７に対するスクリュー形曝気機１の重心Ｇの偏倚による支持部材の支持点廻りのモーメントによって相殺されるように、スクリュー形曝気機１を支持部材７に重心Ｇを偏倚させて取り付けるようにする。【選択図】図３
0003169125.tif 000002
【実用新案登録請求の範囲】
【請求項１】
回転駆動機構と、該回転駆動機構によって回転駆動される中空軸と、該中空軸の先端側に設けたスクリューとを備え、スクリューの回転により攪拌水流を発生させるようにしたスクリュー形曝気機を、前記中空軸を水面に対して傾斜させた状態で支持部材を介して固定側に支持するようにしたスクリュー形曝気機の支持構造において、前記スクリューの回転により発生する推力により生じる支持部材の支持点廻りのモーメントが、前記支持部材に対するスクリュー形曝気機の重心の偏倚による支持部材の支持点廻りのモーメントによって相殺されるように、スクリュー形曝気機を支持部材に重心を偏倚させて取り付けるようにしたことを特徴とするスクリュー形曝気機の支持構造。
【請求項２】
スクリュー形曝気機の停止時に、前記支持部材に対するスクリュー形曝気機の重心の偏倚による支持部材の支持点廻りのモーメントを支持する補助支持部材を配設したことを特徴とする請求項１記載のスクリュー形曝気機の支持構造。
【考案の詳細な説明】
【技術分野】
【０００１】
本考案は、スクリュー形曝気機の支持構造に関し、特に、中空軸を水面に対して傾斜させた状態で支持部材を介して固定側に支持するようにしたスクリュー形曝気機の支持構造に関するものである。
【背景技術】
【０００２】
従来、汚水処理場における曝気槽には、汚水を攪拌するとともに、汚水中に空気を放出して曝気するスクリュー形曝気機が設置されている。
このスクリュー形曝気機は、図４に示すように、回転駆動機構３と、回転駆動機構３によって回転駆動される中空軸２と、中空軸２を覆うカバー部材４と、カバー部材４から突出した中空軸２の先端側２Ａに設けたスクリュー２０とからなり、スクリュー２０の回転により攪拌水流を発生させるとともに、攪拌水流に伴う負圧により中空軸２の基端側２Ｂに設けた空気吸入部５から吸い込んだ空気を水中へ放出するようにしている（例えば、特許文献１〜２参照）。
【０００３】
ところで、この種のスクリュー形曝気機１’は、中空軸２を水面に対して傾斜させた状態で支持部材を介して固定側に支持するようにされているが、運転中のスクリュー形曝気機１’が振動しないように、スクリュー形曝気機１’を固定側に強固に支持するようにしていた。
このため、スクリュー形曝気機１’の中空軸２の水面に対する傾斜角度や水平面内での揺動角度の調整に手数を要するとともに、スクリュー形曝気機１’を固定側に支持する支持部材の構造が複雑になっていた。
【先行技術文献】
【特許文献】
【０００４】
【特許文献１】特開昭６２−２０４８９５号公報
【特許文献２】特開平８−５７４９５号公報
【考案の概要】
【考案が解決しようとする課題】
【０００５】
本考案は、中空軸を水面に対して傾斜させた状態で支持部材を介して固定側に支持するようにしたスクリュー形曝気機の支持構造において、簡易な構造で、スクリュー形曝気機を安定して支持することができるスクリュー形曝気機の支持構造を提供することを目的とする。
【課題を解決するための手段】
【０００６】
上記目的を達成するため、本考案のスクリュー形曝気機の支持構造は、回転駆動機構と、該回転駆動機構によって回転駆動される中空軸と、該中空軸の先端側に設けたスクリューとを備え、スクリューの回転により攪拌水流を発生させるようにしたスクリュー形曝気機を、前記中空軸を水面に対して傾斜させた状態で支持部材を介して固定側に支持するようにしたスクリュー形曝気機の支持構造において、前記スクリューの回転により発生する推力により生じる支持部材の支持点廻りのモーメントが、前記支持部材に対するスクリュー形曝気機の重心の偏倚による支持部材の支持点廻りのモーメントによって相殺されるように、スクリュー形曝気機を支持部材に重心を偏倚させて取り付けるようにしたことを特徴とする。
【０００７】
この場合において、スクリュー形曝気機の停止時に、前記支持部材に対するスクリュー形曝気機の重心の偏倚による支持部材の支持点廻りのモーメントを支持する補助支持部材を配設することができる。
【考案の効果】
【０００８】
本考案のスクリュー形曝気機の支持構造によれば、スクリューの回転により発生する推力により生じる支持部材の支持点廻りのモーメントが、支持部材に対するスクリュー形曝気機の重心の偏倚による支持部材の支持点廻りのモーメントによって相殺されるように、スクリュー形曝気機を支持部材に重心を偏倚させて取り付けるようにすることにより、スクリュー形曝気機の運転中のスクリューの回転により発生する推力により生じる支持部材の支持点廻りのモーメントを、支持部材に重心を偏倚させて取り付けたスクリュー形曝気機の重心の偏倚による支持部材の支持点廻りのモーメントによって相殺することができ、スクリュー形曝気機を安定して支持することができ、スクリュー形曝気機の振動、さらに、振動に起因するスクリュー形曝気機の故障や損傷を防止することができる。
また、支持部材の支持点廻りのモーメントを、支持部材の範囲で相殺することにより、スクリュー形曝気機の支持構造を簡易な構造とすることができ、スクリュー形曝気機の中空軸の水面に対する傾斜角度や水平面内での揺動角度の調整を容易に行うことができるスクリュー形曝気機の支持構造を提供することができる。
【０００９】
また、スクリュー形曝気機の停止時に、前記支持部材に対するスクリュー形曝気機の重心の偏倚による支持部材の支持点廻りのモーメントを支持する補助支持部材を配設することにより、停止時のスクリュー形曝気機を安定して支持することができる。
【図面の簡単な説明】
【００１０】
【図１】本考案のスクリュー形曝気機の支持構造の一実施例を示し、（ａ）は平面図、（ｂ）は正面図、（ｃ）は側面図である。
【図２】同スクリュー形曝気機の内部構造の説明図である。
【図３】同スクリュー形曝気機の支持構造の作用を示す説明図である。
【図４】従来のスクリュー形曝気機を示す一部切り欠き断面の側面図で、（ａ）は全体を示す説明図、（ｂ）は要部を示す説明図である。
【考案を実施するための形態】
【００１１】
以下、本考案のスクリュー形曝気機の支持構造の実施の形態を、図面に基づいて説明する。
【実施例１】
【００１２】
図１〜図３に、本考案のスクリュー形曝気機の支持構造の一実施例を示す。
このスクリュー形曝気機１は、回転駆動機構３と、回転駆動機構３によって回転駆動される中空軸２と、回転駆動機構３及び中空軸２を覆うカバー部材４と、カバー部材４から突出した中空軸２の先端側２Ａに設けたスクリュー２０とからなり、スクリュー２０の回転により攪拌水流を発生させるとともに、攪拌水流に伴う負圧により中空軸２の基端側２Ｂに回転駆動機構３を介して設けた空気吸入部５から吸い込んだ空気を水中へ放出するようにしている。
【００１３】
この場合において、空気吸入部５には、開閉弁６を配設し、開閉弁６を開閉操作することによって、すなわち、開閉弁６を開操作することによって攪拌水流に伴う負圧により中空軸２の基端側に設けた空気吸入部５から吸い込んだ空気を水中へ放出する好気運転と、開閉弁６を閉操作することによる嫌気運転とを切り替えて行えるようにしている。
【００１４】
また、スクリュー形曝気機１は、水中に浸漬する際に、水面に対して所定の傾斜角度θ１（特に限定されるものではないが、通常、３０〜４０°、好ましくは３５°程度）をもって浸漬するようにしている。
【００１５】
そして、このスクリュー形曝気機１は、カバー部材４を介して、曝気槽に架設した梁部材１０に垂設した支持部材７及び補助支持部材８に取り付けるようにしている。
【００１６】
また、スクリュー形曝気機１は、基準位置に対する水平面内での揺動角度を目視によって確認できるようにするための角度標示部材９を配設するようにしている。
この角度標示部材９は、曝気槽に架設した梁部材１０に配設した角度標示板９ａと、スクリュー形曝気機１の揺動に伴って移動することにより角度標示板９ａに角度を標示する移動片９ｂとで構成するようにしている。
これにより、スクリュー形曝気機１が最適な曝気性能を発揮する水平面内での所要角度に設置されていることを目視によって確認することができることから、スクリュー形曝気機１の設置作業を簡易に行うことができる。
【００１７】
ところで、本実施例において、スクリュー形曝気機１の中空軸２を水面に対して所定の傾斜角度θ１で傾斜させた状態で支持部材７を介して固定側、具体的には、曝気槽に架設した梁部材１０に、支持点Ｐを中心にして水平面内で揺動角度を調整可能に支持するようにしているが、この場合、図３に示すように、スクリュー２０の回転により発生する推力Ｆにより生じる支持部材の支持点廻りのモーメントＭ１が、支持部材７に対するスクリュー形曝気機１の重心Ｇの偏倚による支持部材の支持点廻りのモーメントＭ２によって相殺されるように、スクリュー形曝気機１を支持部材７に重心Ｇを偏倚させて取り付けるようにしている。
【００１８】
具体的には、下記の式１で導かれるスクリュー２０の回転により発生する推力Ｆにより生じる支持部材の支持点廻りのモーメントＭ１が、下記の式２で導かれる支持部材７に対するスクリュー形曝気機１の重心Ｇの偏倚による支持部材の支持点廻りのモーメントＭ２によって、相殺されるように（特に限定されるものではないが、モーメントＭ１／モーメントＭ２＝０．８〜１．２、好ましくは、０．９〜１．１、より好ましくは、０．９５〜１．０５となるように）、スクリュー形曝気機１を支持部材７に重心Ｇを偏倚させて取り付けるように設計する。
Ｍ１＝Ｆ・Ｌ１ｃｏｓθ１  ・・・（式１）
Ｍ１：推力Ｆにより生じる支持部材の支持点廻りのモーメント
Ｆ：スクリュー２０の回転により発生する推力
Ｌ１：支持部材７の長さ（支持点Ｐと推力Ｆが作用する作用点との距離）
θ１：スクリュー形曝気機１の中空軸２の水面に対する傾斜角度
Ｍ２＝Ｗ・Ｌ２ｓｉｎθ２  ・・・（式２）
Ｍ２  スクリュー形曝気機１の重心Ｇの偏倚による支持部材の支持点廻りのモーメント
Ｗ：スクリュー形曝気機１の質量
Ｌ２：支持点Ｐとスクリュー形曝気機１の重心Ｇとの距離
θ２：支持点Ｐとスクリュー形曝気機１の重心Ｇとを結ぶ線と垂線のなす角度
【００１９】
これにより、スクリュー形曝気機１の運転中のスクリュー２０の回転により発生する推力Ｆにより生じる支持部材の支持点廻りのモーメントＭ１を、支持部材７に重心Ｇを偏倚させて取り付けたスクリュー形曝気機１の重心Ｇの偏倚による支持部材の支持点廻りのモーメントＭ２によって相殺することができ、スクリュー形曝気機１を安定して支持することができ、スクリュー形曝気機１の振動、さらに、振動に起因するスクリュー形曝気機１の故障や損傷を防止することができる。
また、支持部材の支持点廻りのモーメントＭ１、Ｍ２を、支持部材７の範囲で相殺することにより、スクリュー形曝気機１の支持構造を簡易な構造とすることができ、スクリュー形曝気機１の中空軸２の水面に対する傾斜角度や水平面内での揺動角度の調整を容易に行うことができる。
【００２０】
また、本実施例において、支持部材７に加え、スクリュー形曝気機１の重心Ｇを夾んで補助支持部材８によってスクリュー形曝気機１を支持するようにしているが、この補助支持部材８は、スクリュー形曝気機１の停止時に、支持部材７に対するスクリュー形曝気機１の重心Ｇの偏倚による支持部材の支持点廻りのモーメントＭ２を支持するものである。
この補助支持部材８を配設することにより、停止時のスクリュー形曝気機１を安定して支持することができる。
【００２１】
以上、本考案のスクリュー形曝気機の支持構造について、その実施例に基づいて説明したが、本考案は上記実施例に記載した構成に限定されるものではなく、その趣旨を逸脱しない範囲において適宜その構成を変更することができるものである。
【産業上の利用可能性】
【００２２】
本考案のスクリュー形曝気機の支持構造は、簡易な構造で、スクリュー形曝気機を安定して支持することができるという特性を有していることから、各種用途のスクリュー形曝気機に好適に用いることができる。
【符号の説明】
【００２３】
１    スクリュー形曝気機
２    中空軸
２Ａ  先端側
２Ｂ  基端側
２０  スクリュー
３    回転駆動機構
４    カバー部材
５    空気吸入部
６    開閉弁
７    支持部材
８    補助支持部材
９    角度標示部材
１０  梁部材
Ｆ    推力
Ｇ    スクリュー形曝気機の重心
Ｍ１  推力により生じる支持部材の支持点廻りのモーメント
Ｍ２  スクリュー形曝気機の重心の偏倚による支持部材の支持点廻りのモーメント
Ｐ    支持点
【図１】
0003169125.tif 000003
【図２】
0003169125.tif 000004
【図３】
0003169125.tif 000005
【図４】
0003169125.tif 000006